(57)【特許請求の範囲】
【請求項１】
丸棒体にて松葉状のＶ字形を形成し、該Ｖ字形の開放端部を横架材を介して固着し、Ｖ字形により形成される面の下面側に前記開放端部と連続したフック部を設け、該フック部はＶ字形の支点部方向に開いたコの字形状に形成され、Ｖ字形の上面側であってＶ字形の支点部に平板状の踏み板部を固着したことを特徴とするプラスチック袋内に詰められた建築仕上塗材の絞り出し器。
【発明の詳細な説明】
【技術分野】
【０００１】
本発明は、容量２０リットル程度の丸缶等の内側にプラスチック袋が内装され、該プラスチック袋内に建築仕上塗材が詰められて販売される施工前の該建築仕上塗材を、プラスチック袋内より絞り出すための絞り出し器に関し、詳しくは、該建築仕上塗材を建築施工現場にて容易にプラスチック袋内より絞り出すことが出来、また絞り出した該建築仕上塗材に更に玉石や寒水石等を追加して配合する場合に、これらを攪拌混合して前記丸缶等の中で均一な状態にすることが出来る、プラスチック袋内に詰められた建築仕上塗材の絞り出し器に関する。
【背景技術】
【０００２】
従来、袋詰めされた食品、化粧品、薬品等の液状、練り状流動物においては、これらを袋から取り出すのに用いる袋中身絞り出し器が提案されている（特許文献１）。
【０００３】
該袋中身絞り出し器は、細長い丸棒を本体として２本並べて備えた袋中身絞り出し器であって、上記両本体丸棒の相対する一端部に、その両端部を接近・離隔自在に結合する結合部材を備え、更にその両結合端部を接近状態に支持して、離隔時に接近方向に付勢力を与える弾性部材を備えて、その両本体丸棒の各結合端部より中央部に袋挟持用長外管を回動自在に夫々嵌め、更にその両本体丸棒の相対する他端部を夫々自由端部にし、その各自由端部付近をそれぞれ把持部にすることを特徴としている。
【先行技術文献】
【特許文献】
【０００４】
【特許文献１】特開２００４−１６８３２６号公報
【０００５】
しかしながら、建築仕上塗材は、具体的には、特開２００９−２８０７８７号に示される水系塗材組成物であって、例えば合成樹脂エマルション等に平均粒径１００μｍ以上の骨材、粒径１００μｍ未満の充填材等を配合し、ＪＩＳ  Ａ  ６９０９  外装薄塗塗材Ｅに規定されるような材料であって、鏝等で壁に直接塗り付けながら様々な凹凸模様を表現することができる材料であるため、上記食品、化粧品、薬品等の液状、練り状流動物と比較してその粘度は高く、特許文献１に示されるような袋中身絞り出し器では、絞り出す際に十分に力を加えることが出来ず、結果として建築仕上塗材を袋から上手く絞り出すことが出来ないという課題がある。
【０００６】
また、プラスチック袋内から取り出された建築仕上塗材には、更に玉石や寒水石等が追加して配合される場合があり、その際にはこれらを攪拌混合するために別途撹拌棒等を用意する必要があるという課題がある。
【発明の概要】
【発明が解決しようとする課題】
【０００７】
本発明が解決しようとする課題は、プラスチック袋内に充填梱包された建築仕上塗材が２０リットル程度の容量のある丸缶等内に更に内装された状態で梱包されている場合に、該プラスチック袋から上記建築仕上塗材を絞り出す際に十分に力を加えることができ、このため効率よく建築仕上塗材を前記丸缶等内に絞り出すことができ、さらには、絞り出した建築仕上塗材に玉石や寒水石等を追加して配合する場合に、これらを攪拌混合して前記丸缶等の中で均一な状態にすることが出来る、プラスチック袋内に詰められた建築仕上塗材の絞り出し器を提供することにある。
【課題を解決するための手段】
【０００８】
上記課題を解決するために、請求項１記載の発明は、丸棒体にて松葉状のＶ字形を形成し、該Ｖ字形の開放端部を横架材を介して固着し、Ｖ字形により形成される面の下面側に前記開放端部と連続したフック部を設け、該フック部はＶ字形の支点部方向に開いたコの字形状に形成され、Ｖ字形の上面側であってＶ字形の支点部に平板状の踏み板部を固着したことを特徴とするプラスチック袋内に詰められた建築仕上塗材の絞り出し器を提供する。
【発明の効果】
【０００９】
本発明のプラスチック袋内に詰められた建築仕上塗材の絞り出し器は、容量２０リットル程度の丸缶等の内側にポリエチレン製等のプラスチック袋が内装され、該プラスチック袋内に建築仕上塗材が詰められている場合に、丸缶の蓋を取った後の該丸缶の開口上部に載置することが出来る。その際、フック部は丸缶上部の外側凸部に係合するように載置させ、踏み板部は上面側に位置するため、容易に足裏で該踏み板部を押さえ付けることが出来、これにより本発明の絞り出し器を丸缶の開口上部に固定することが出来る効果がある。
【００１０】
また、プラスチック袋内に詰められた建築仕上塗材を該プラスチック袋内から絞り出す際には、プラスチック袋の開放端部を、丸棒体と横架材で形成されたＶ字形の内側に挿通させ、Ｖ字形の支点方向（Ｖ字形が閉じている部分）にプラスチック袋を寄せながら上方に持ち上げ、プラスチック袋の閉じられた底部を皮スキ等によって切り裂き、さらにプラスチック袋を上方に持ち上げることにより、建築仕上塗材はＶ字形の丸棒体により、丸缶内に絞り出されるという効果がある。
【００１１】
この際、本発明の絞り出し器は、Ｖ字形の開放端部がコの字形のフック部によって丸缶の上部に固定され、またＶ字形の支点部分（Ｖ字形が閉じている部分）は、踏み板部が足裏によって丸缶側に押さえつけられるため、全体として、丸缶に固定される状態となる効果がある。このため、プラスチック袋をＶ字形の内側を挿通させて上方に持ち上げる際に、プラスチック袋の開放端部を両手でしっかり把持し、十分に力をいれて上方に持ち上げることが出来る効果があり、粘度の高い建築仕上塗材であっても、効率よく、袋内から丸缶内に絞り出すことが出来る効果がある。
【００１２】
また、丸缶等の中に絞り出した建築仕上塗材に追加して玉石や寒水石等を配合する場合は、例えば踏み板部を攪拌羽根として建築仕上塗材の中に埋没させ、フック部及び松葉状のＶ字形を両手で掴みながら踏み板部を回動させることで、建築仕上塗材と玉石や寒水石等を攪拌混合して均一な状態にすることが出来る効果がある。
【００１３】
さらには、本発明であるプラスチック袋内に詰められた建築仕上塗材の絞り出し器は、松葉状のＶ字形に形成された丸棒体と、横架材と、フック部と、踏み板部は、一体に固着されて形成されているため、例え上記撹拌により建築仕上塗材等が付着して汚れた状態になっても、分離させる部品が無く、一物品として容易に水洗して再使用することができるという効果がある。
【図面の簡単な説明】
【００１４】
【図１】本発明に係るプラスチック袋内に詰められた建築仕上塗材の絞り出し器の全体斜視図である。
【図２】本発明に係るプラスチック袋内に詰められた建築仕上塗材の絞り出し器を使用して絞り出す建築仕上塗材が詰められた丸缶の全体斜視図である。
【図３】本発明に係るプラスチック袋内に詰められた建築仕上塗材の絞り出し器を使用して絞り出す建築仕上塗材が詰められた丸缶の蓋を取り外した状態を示す状態斜視図である。
【図４】本発明に係るプラスチック袋内に詰められた建築仕上塗材の絞り出し器を建築仕上塗材が詰められた丸缶の開口上部に載置した状態を示す状態斜視図である。
【図５】本発明に係るプラスチック袋内に詰められた建築仕上塗材の絞り出し器のＶ字形の内側に、プラスチック袋の開放端部を挿通して上方に持ち上げている状態を示す状態斜視図である。
【図６】本発明に係るプラスチック袋内に詰められた建築仕上塗材の絞り出し器のＶ字形の内側に、プラスチック袋の開放端部を挿通し、且つ該プラスチック袋をＶ字形の支点方向に寄せ、さらにプラスチック袋の閉鎖底部を皮スキ等によって切り開いた上で、該プラスチック袋を上方に持ち上げて、建築仕上塗材を丸缶内に絞り出している状態を示す状態斜視図である。
【図７】本発明に係るプラスチック袋内に詰められた建築仕上塗材の絞り出し器を使用して丸缶内に絞りだされた建築仕上塗材を示す状態斜視図である。
【図８】本発明に係るプラスチック袋内に詰められた建築仕上塗材の絞り出し器を使用して、丸缶内で建築仕上塗材と玉石や寒水石等を攪拌混合している状態を示す状態斜視図である。
【発明を実施するための形態】
【００１５】
以下本発明に係るプラスチック袋内に詰められた建築仕上塗材の絞り出し器を実施するための形態に関し、図１に示した一実施例に基づき詳細に説明する。
【００１６】
図１は、本発明に係るプラスチック袋内に詰められた建築仕上塗材の絞り出し器１の全体斜視図であり、２本の丸棒体２、３が松葉状のＶ字形４を形成している。松葉状とはＶ字形４の開放端部５が大きく開いてはいない状態を言う。図１に示す絞り出し器１では２本の丸棒体２、３を略平行状に配設することで松葉状のＶ字形４を形成しているが、１本の丸棒体で同様に松葉状のＶ字形４を形成してもよい。
【００１７】
Ｖ字形４を形成している丸棒体２、３の該Ｖ字形４の支点部６側の端部２ａ、３ａは溶接により固着されて一体化され、開放端部５では丸棒体２、３の端部２ｂ、３ｂが横架材７を介して固着され、丸棒体２、３、横架材７によって３角形を形成している。
【００１８】
Ｖ字形４により形成される面の下面側８には、丸棒体２、３の端部２ｂ、３ｂと連続してフック部９、１０が設けられ、該フック部９、１０は、Ｖ字形４の支点部６方向に開いたコの形状１１、１２に形成されている。本実施例では、フック部は、フック部９、１０として丸棒体２、３の端部２ｂ、３ｂにそれぞれ設けて２個としたが、２個設けることにより、本発明の絞り出し器を丸缶の上部に載置させる際、丸缶の外側凸部に仮固定しやすいという効果がある。勿論フック部は少なくとも１あれば良く、この場合、該フック部は、例えば丸棒体２または３のどちらかか、横架材７に連続していればよく、開放端部５に連続して設けるとは、この意義である。
【００１９】
またＶ字形４の上面側１３であってＶ字形の支点部６には平板状の踏み板部１４が固着されている。
【００２０】
本発明に係るプラスチック袋内に詰められた建築仕上塗材の絞り出し器１は上記のように構成されている。次にその使用方法について図２乃至図８に基づいて詳細に説明する。
【００２１】
図２は、建築仕上塗材２０が詰められたプラスチック袋３０が内装された丸缶４０の全体斜視図であり、丸缶４０は蓋４１によって閉じられている。
【００２２】
丸缶４０の蓋４１を取り外した状態が図３であり、丸缶４０内には、ポリエチレン製のプラスチック袋３０が内装され、該プラスチック袋３０内には、建築仕上塗材２０が詰められている。またプラスチック袋３０の開放端部３１は一握りにまとめられ２つ折りにされて輪ゴム３２で閉じられている。
【００２３】
該丸缶４０の開口上部４２に本発明に係るプラスチック袋内に詰められた建築仕上塗材の絞り出し器１が載置された状態が図４であり、コの字形状１１、１２のフック部９、１０は丸缶４０の上部の外側凸部４３と係合する。またＶ字形４の支点部６側は開放端部５と該支点部６によって丸缶４０を略２分する位置（丸缶４０の直径となる位置）に載置される。
【００２４】
このように本発明に係るプラスチック袋内に詰められた建築仕上塗材の絞り出し器１を丸缶４０の開口上部４２に載置した後、上記輪ゴム３２を取り外しプラスチック袋３０の開放端部３１をＶ字形４の内側に挿通させる。この状態が図５である。
【００２５】
次に、図６に示すように、プラスチック袋３０の閉じられた底部３３を皮スキ等で切り裂き、踏み板部１４を片方の足裏で押さえつけながら（図示せず）、プラスチック袋３０の開放端部３１を両手でしっかり把持し、さらに該プラスチック袋３０を支点部６方向に寄せながら上方に持ち上げる。これによりプラスチック袋３０内の建築仕上塗材２０は近接した丸棒体２、３によって丸缶４０内に絞り出される。また、プラスチック袋３０は、丸棒体２、３の断面形状が滑らかな丸形状であるため、スムーズに上方に持ち上げることが出来る。
【００２６】
建築仕上塗材２０が丸缶４０内に絞り出された状態が図７であり、該建築仕上塗材２０に玉石や寒水石等５０を追加して配合する場合に、本発明に係るプラスチック袋内に詰められた建築仕上塗材の絞り出し器１を使用してこれらを攪拌混合して状態が図８である。撹拌混合に当たっては、踏み板部１４を攪拌羽根として作用させることが好ましく、この場合、該踏み板部１４を建築仕上塗材２０内に埋没させ、フック部９、１０及びＶ字形４を両手で掴みながら（図示せず）踏み板部１４を回動させることで、建築仕上塗材２０と玉石や寒水石等５０を攪拌混合して均一な状態にすることが出来る。
【符号の説明】
【００２７】
１  プラスチック袋内に詰められた建築仕上塗材の絞り出し器
２  丸棒体
２ａ  端部
２ｂ  端部
３  丸棒体
３ａ  端部
３ｂ  端部
４  Ｖ字形
５  開放端部
６  支点部
７  横架材
８  下面側
９、１０  フック部
１１、１２  コの字形状
１３  上面側
１４  踏み板部
２０  建築仕上塗材
３０  プラスチック袋
３１  開放端部
３２  輪ゴム
４０  丸缶
４１  蓋
４２  開口上部
４３  外側凸部
５０  玉石や寒水石等
【図１】
0006391457.tif 000002
【図２】
0006391457.tif 000003
【図３】
0006391457.tif 000004
【図４】
0006391457.tif 000005
【図５】
0006391457.tif 000006
【図６】
0006391457.tif 000007
【図７】
0006391457.tif 000008
【図８】
0006391457.tif 000009